(57)【要約】      （修正有）【課題】メモリーカード変換コネクタの構造改良を提供する。【解決手段】変換コネクタはブラケットを備えてなり、ブラケット内には収容スペースを備えてなり、ブラケットの片側には収容スペースと相互に貫通する開口を設けてなり、該ブラケットは収容スペースを覆うことができるフレキシブルプリント基板を設けてなり、フレキシブルプリント基板は相互に隣接する収容スペースの片側表面に導電層を設けてなり、メモリーカードの金属接点と電気的な接触を形成することができ、又フレキシブルプリント基板の他片側表面における側面付近には金属接点を設けてなり、変換コネクタがメモリーカードスロット内に挿入された後、メモリーカードスロット内の端子と電気的接触を形成することができる。【選択図】図２
0003121826.tif 000002
【実用新案登録請求の範囲】
【請求項１】
メモリーカードの挿入形式に対してメモリーカードスロットを相互に対応させる変換コネクタを提供してなり、該変換コネクタはブラケットを備えてなり、ブラケット内には収容スペースを備えてなり、ブラケットの片側には収容スペースと相互に貫通する開口を設けてなり、該ブラケットは収容スペースを覆うことができるフレキシブルプリント基板を設けてなり、フレキシブルプリント基板は相互に隣接する収容スペースの片側表面に導電層を設けてなり、フレキシブルプリント基板の他片側表面における側面付近には金属接点を設けてなることを特徴とした、メモリーカード変換コネクタの構造改良。
【請求項２】
メモリーカードの挿入形式に対してメモリーカードスロットを相互に対応させる変換コネクタを提供してなり、該変換コネクタはブラケットを備えてなり、ブラケット内にには収容スペースを備えてなり、ブラケットの片側には収容スペースと相互に貫通する開口を設けてなり、該ブラケットは収容スペースを覆うことができるフレキシブルプリント基板を設けてなり、フレキシブルプリント基板は相互に隣接する収容スペースの片側表面に複数の凸部を設けてなり、複数の凸部上には導電層を備えてなり、フレキシブルプリント基板の他片側表面における側面付近には金属接点を設けてなることを特徴とした、メモリーカード変換コネクタの構造改良。
【請求項３】
前記フレキシブルプリント基板は電気鍍金を通して導電層と金属接点を形成することが可能であることを特徴とした、請求項１又は２に記載のメモリーカード変換コネクタの構造改良。
【請求項４】
前記フレキシブルプリント基板は適当な弾力を備えてなり、弾力性により変換コネクタ内に挿入されたメモリーカードを支持することが可能であることを特徴とした、請求項１又は２に記載のメモリーカード変換コネクタの構造改良。
【考案の詳細な説明】
【技術分野】
【０００１】
本考案は、メモリーカードの挿入形式に対してメモリーカードスロットを相互に対応させることができる変換コネクタを提供してなり、変換コネクタはメモリーカードと電気的な接触及びメモリーカードに柔軟に対応するフレキシブルプリント基板を設けてなり、端子の使用を必要とせずに、生産コストを低下し、同時に生産効率を向上できることを特徴とした、メモリーカード変換コネクタの構造改良に関する。
【背景技術】
【０００２】
電子科学技術の日進月歩に従い、各形態の電子機器は世に広まり、大衆が使用するパソコン、携帯電話、デジタルカメラ等、これらの機器の機能は日を追うごとに増加し、人々に異なる生活様式をもたらし、これらの電子機器はデータを保存する装置を必要とし、初期はＥＰＲＯＭ或いは電池式メモリー等をデータ保存の媒体としていたが、フラッシュメモリーが市場に登場して以来は、低消耗、不揮発性、耐震、高保存密度等の魅力的な特性により、多くの可携帯性電子機器において、基本的な装置となり、更に現在は半導体技術の進歩によって、フラッシュメモリーの保存密度と転送速度は飛躍的な成長を遂げ、フラッシュメモリーは多くの応用分野においてハードディスク等の従来の保存媒体に取って代わることが可能とされている。
【０００３】
フラッシュメモリーは電子機器の基板上に内蔵することが可能であるだけでなく、多くの可携帯式保存装置、例えばメモリースティック、メモリーカード等に利用され、メモリーカードの用途は更に拡大されてなり、電子機器、例えばデジタルカメラや携帯電話等が出荷される時には、内蔵のフラッシュメモリーの容量は制限があり、一般に多くは３２ＭＢから１２８ＭＢ或いは５１２ＭＢと異なるが、使用環境においてはフラッシュメモリーの容量不足が発生し易い為、多くの電子機器の生産する製造業者は電子機器上に増設用のメモリーカードスロットを設け、使用者が使用に従い更に大容量（１ＧＢ、数ＧＢ等）のメモリーカードを購入し、電子機器のメモリースロット内に挿入することにより電子機器のデータ保存容量を増加することを可能となっている。
【０００４】
現行のメモリーカードの規格は非常に多様化してなり、多くの大手メーカーが入り乱れ自社使用規格のメモリーカード形式にて設計し、例えばＣＦカード、ＭＳカード、ＳＤカード、ＭＭＣカード等、よって使用者は電子機器のメモリーカードスロットの規格に従い、規格に対応したメモリーカードを購入する必要があり、規格の異なるメモリーカードを一つのメモリーカードスロットに挿入することは不可能である。
【０００５】
メモリーカードの形態及び規格は様々であるが、多くのメモリーカードの規格は古い規格の延長、或いは外殻の形態が似ているものであり、例えばＣＤカードの後継となるメモリーカードはＭＩＮＩ−ＣＤカード、ＭＭＣカードの後継となるメモリーカードはＭＩＣＲＯ−ＭＭＣカードであり、上記メモリーカードの最も明確な違いは体積が縮小されている部分であり、これは電子機器の体積が軽く、薄く、短く、小さくする方向に発展しているから他ならず、メモリーカードの体積も必然的に縮小化されてなるが、常に電子機器を買い換えることができる使用者は少なく、メモリーカードの規格が絶え間なく更新されていく中、古い規格のメモリーカードは淘汰され、更に、多くの使用者或いは家庭内において、同時に多くの電子機器を保有し、電子機器の数量が多くなる場合、それぞれの電子機器は対応する規格のメモリーカードが必要であり、使用者はメモリーカードを買うだけで多額な消費を必要とし、無駄な浪費が生じるのである。
【０００６】
上述の問題を解決する為、某メーカーが開発したメモリーカードの変換コネクタは、中華民国特許公報において、公告番号第Ｍ２７１２０８号、公告日９４年７月２１日、特許名称：模擬ＭｉｎｉＳＤメモリーカードの変換コネクタ構造、に記載されてなり、図９に示すように、該変換コネクタＡは下蓋Ａ１、上蓋Ａ２、接続部Ａ３及び導電端子Ａ４より構成されてなり、該下蓋Ａ１と上蓋Ａ２が相互に結合された後の外観はＭｉｎｉＳＤメモリーカードと同様であり、相互に接合された下蓋Ａ１と上蓋Ａ２の前面には主開口Ａ１１、Ａ２１が設けられてなり、主開口Ａ１１、Ａ２１内に設けられる挿入空間Ａ０はＴｒａｎｓＦｌａｓｈメモリーカードが挿入され、下蓋Ａ１の前面内部は固定数の導電端子Ａ４が設けられ、下蓋Ａ１後部は開口Ａ１２が設けられてなり、開口Ａ１２は接続部Ａ３の一端に対応してなると共に、各導電端子Ａ４の前面と接続部Ａ３は相互に接続し、接続部Ａ３内には開口Ａ１２に対応するレールが設けられてなる。
【０００７】
使用者はＭｉｎｉＳＤメモリーカードスロットのある電子機器内において、ＴｒａｎｓＦｌａｓｈメモリーカードを変換コネクタカードＡ内に挿入し、変換コネクタＡを電子機器内に挿入し、ＭｉｎｉＳＤメモリーカードの購入が不要になる。
【０００８】
但し上述の変換コネクタＡは実際の使用時に以下のような問題が存在する：
一、 変換コネクタＡ内部には導電端子Ａ４を設置する必要があり、一般に導電端子Ａ４を取り付ける過程において多くはスタンピング方式を採用してなり、導電端子Ａ４を変換コネクタＡ内部に設置してなり、その生産過程は比較的複雑で、製造コストが比較的高く、精密な加工方式を用いる必要があり、生産の効率を低下させる。
二、 変換コネクタＡの大きさはメモリーカードの外形と規格とに符合する必要があり、変換コネクタＡの大きさは自由に変更することができず、変換コネクタＡ内部は挿入スペースＡ０を設けるだけでなく、導電端子Ａ４を設置してなり、挿入するメモリーカードと電気的接続を形成させる必要があるため、導電端子Ａ４は一般に弾力性のある孤形を備えてなり、メモリーカード挿入時に、導電端子Ａ４を通してメモリーカードを支えるが、導電端子Ａ４は長期の使用後、容易に弾力性が欠乏する問題があり、変換コネクタＡとメモリーカードとの間の接続不良を招く。
【考案の開示】
【考案が解決しようとする課題】
【０００９】
本考案は、変換コネクタにおいてブラケットの収容スペースをカバーで覆うことが可能なフレキスブルプリント基板を設けてなり、該フレキシブルプリント基板と収容スペースとが相互に隣接する一面は導電層を設けてなり、他の変換コネクタに近い面は、金属接点を設けてなり、メモリーカードは変換コネクタのブラケットの開口より変換コネクタのブラケット内の収容空間に挿入される時、フレキシブルプリント基板は弾力性を備えてなり、フレキシブルプリント基板を通してメモリーカードを支え固定すると共に、フレキシブルプリント基板の導電層がメモリーカードの金属接点と電気的接触を形成し、変換コネクタにメモリーカードが挿入された後、フレキシブルプリント基板の金属接点はメモリーカードスロットの端子と電気的接触を形成し、メモリーカードスロットは変換コネクタ内部のメモリーカードが保存するデータを読み込むことが可能となることを目的とする。
本考案は更に、変換コネクタにおいてブラケットの収容スペースをカバーで覆うことが可能なフレキスブルプリント基板を設けてなり、該フレキシブルプリント基板と収容スペースとが相互に隣接する一面は複数の凸部を設けてなり、複数の凸部上には導電層を設けてなり、メモリーカードが変換コネクタのブラケットの開口より変換コネクタのブラケットの収容スペース内に挿入される時、フレキシブルプリント基板の導電層がメモリーカードの金属接点と電気的接触を形成し、フレキシブルプリント基板の弾力性及び複数の凸部を通してメモリーカードを支え固定すると共に、複数の凸部上の導電層を設け、メモリーカードの金属接点と良好な電気的接触を保持できることを目的とする。
本考案は更に、フレキシブルプリント基板の片面において、相互に隣接する変換コネクタの収容スペースに導電層を設けてなり、他の変換コネクタに近接する面には金属接点を設けてなり、該導電層と金属接点は電気鍍金方式を通してフレキシブルプリント基板上に形成され、変換コネクタが製造生産される時、端子或いは弾性部材の使用を必要とせずに変換コネクタ内に挿入するメモリーカードの良好な電気的接触を保持できることを目的とする。
【課題を解決するための手段】
【００１０】
メモリーカードの挿入形式に対してメモリーカードスロットを相互に対応させる変換コネクタを提供してなり、該変換コネクタはブラケットを備えてなり、ブラケット内には収容スペースを備えてなり、ブラケットの片側には収容スペースと相互に貫通する開口を設けてなり、該ブラケットは収容スペースを覆うことができるフレキシブルプリント基板を設けてなり、フレキシブルプリント基板は相互に隣接する収容スペースの片側表面に導電層を設けてなり、フレキシブルプリント基板の他片側表面における側面付近には金属接点を設けてなる。
【考案の効果】
【００１１】
本考案は使用時、公知技術と比較し、下記の長所を備える。
１、 変換コネクタの収容スペースは弾力性のあるフレキシブルプリント基板を備え覆われてなり、フレキシブルプリント基板は収容スペースと相互に隣接する面に導電層を設けてなり、メモリーカードが変換コネクタに挿入される時、メモリーカードはフレキシブルプリント基板の弾力性を通して支えられ変換コ
ネクタ内に固定されてなり、更にフレキシブルプリント基板の導電層はメモリーカードの金属接点と電気的接触を形成してなり、変換コネクタが製造される時、端子或いは弾性部材等の装置を使用する必要がなく、生産の効率を向上させることができる。
２、 フレキシブルプリント基板の導電層と金属接点は電気鍍金方式を利用して形成され、変換コネクタは限られた体積において迅速にフレキシブルプリント基板を実装することができ、スタンピング方式により端子を固定する必要がなく、公知の技術における複雑な実装方式の利用及び確実な定位を必要とせず、製造生産の複雑性を緩和し、生産工程を簡単化することができる。
３、 変換コネクタの収容スペースは弾力性のあるフレキシブルプリント基板を備えてなり、フレキシブルプリント基板と収容スペースが相互に隣接する面には複数の凸部を設けてなり、メモリーカードが変換コネクタ内に挿入された後、メモリーカードはフレキシブルプリント基板の弾力性に支えられ変換コネクタ内に固定されてなり、同時にフレキシブルプリント基板は導電層とメモリーカードの金属接点とに電気的接触を形成し、メモリーカードの固定を達成し、メモリーカードが抜けてしまう現象を防止することができる。
【考案を実施するための最良の形態】
【００１２】
上述の目的及び効果を達成する為、本考案の目的、構造技術の特徴、及び効果を図に従い詳細に説明する。
図１、２、３に示すように、本考案の変換コネクタ１はブラケット１１を備えてなり、ブラケット１１内には収容スペース１１０を備えてなり、ブラケット１１の片側は収容スペース１１０と相互に連接する開口１１１を設けてなると共に、ブラケット１１は収容スペース１１０を覆うことが可能なフレキシブルプリント基板１２を設けてなり、該フレキシブルプリント基板１２は弾力性を備えてなり、フレキシブルプリント基板１２は相互に隣接する収容スペース１１０の片面における適当な箇所に導電層１２２を設けてなり、フレキシブルプリント基板１２の反対の面のブラケット１１における側面付近には金属接点１２２を設けてなり、導電層１２１と金属接点１２２は電気鍍金方式を通してフレキシブル基板上に形成されてなると共に電気的に連接する。
【００１３】
上述のフレキシブルプリント基板１２は二層基板、多層基板、単一銅箔、ＣＯＦ（Ｃｈｉｐ  ｏｎ  Ｆｉｌｍ）にてなることが可能である。
【００１４】
図４、５、６に示すように、変換コネクタ１の開口１１１はメモリーカード２を挿入させてなり、変換コネクタ１のフレキシブルプリント基板１２は弾力性を備えてなり、メモリーカード２が変換コネクタ１の収容スペース１１０内に収容された後、メモリーカード２はフレキシブルプリント基板１２の弾力に支えられ、メモリーカード２は変換コネクタ１内部に固定されてなり、変換コネクタ１の収容スペース１１０の片側壁面と密接に貼り合わせられてなり、フレキシブルプリント基板１２の導電層１２１はメモリーカード２の金属接点２１と電気的接触を形成してなり、変換コネクタ１がメモリーカードスロット３内に挿入された後、フレキシブルプリント基板１２の金属接点１２２はメモリーカードスロット３内の端子３１と電気的接触を形成し、メモリーカード２とメモリーカードスロット３との間は変換コネクタ１を通してデータの伝送を実施することが可能である。
上述のメモリーカード２はＭＩＣＲＯ−ＳＤカード、ＭＩＣＲＯ−ＭＭＣカード或いはＭＩＣＲＯ−ＭＳカード等、その他小型メモリーカード２にてなることが可能であり、上述のメモリーカードスロット３はＳＤカードスロット、ＭＭＣカードスロット、ＭＳカードスロット及びＭＳ−ＤＵＯカードスロットにてなることが可能である。
図７、８、９に示すように、変換コネクタ１のフレキシブルプリント基板１２は相互に隣接する収容スペース１１０の片面には複数の凸部１２３を設けてなり、各凸部１２３とフレキシブルプリント基板１２が相互に連接する適当な箇所には破孔１２３１を設けてなり、凸部１２３上には導電層１２４を設けてなり、導電層１２４は高低のある起伏状を備えてなり、メモリーカード２が変換コネクタ１内に挿入された後、フレキシブルプリント基板１２は弾力性を備えてなる為、高低起伏のある導電層１２４はメモリーカード２の金属接点２１上に密接されてなり、電気的接触を形成することができ、同時にメモリーカード２は変換コネクタ１内部に固定されてなり、更にメモリーカード２が変換コネクタ１の収容スペース１１０に挿入された後、各凸部１２３とフレキシブルプリント基板１２とが相互に隣接する適当な箇所において破孔１２３１が設けられてなる為、高低起伏状を備える導電層１２４とメモリーカード２の金属接点２１とが接触する時、各凸部１２３はメモリーカード２の金属接点２１に支えられて、各凸部１２３は破孔１２３１に向かい支持してなり、各凸部１２３間のおけるフレキシブルプリント基板１２の変形を防止することができる。
上述のフレキシブルプリント基板１２は二層板、多層板、単一銅箔、或いはＣＯＦ（Ｃｈｉｐ  ｏｎ  Ｆｉｌｍ）にてなることが可能であると共に、フレキシブルプリント基板１２は電気鍍金方式を通して導電層１２４を形成することができる。
上述のメモリーカード２はＭＩＣＲＯ−ＳＤカード、ＭＩＣＲＯ−ＭＭＣカード或いはＭＩＣＲＯ−ＭＳカード等、その他小型メモリーカード２にてなることが可能であり、上述のメモリーカードスロット３はＳＤカードスロット、ＭＭＣカードスロット、ＭＳカードスロット及びＭＳ−ＤＵＯ系列カードスロットにてなることが可能である。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案の立体外観図である。
【図２】本考案の立体分解図である。
【図３】本考案の側面断面図である。
【図４】本考案の動作前の側面断面図である。
【図５】本考案の動作中の側面断面図である。
【図６】本考案の動作後の側面断面図である。
【図７】本考案の他の実施例の側面断面図である。
【図８】図７のＡ部分の局部拡大図である。
【図９】本考案の他の実施例におけるメモリーカード挿入時の側面断面図である。
【図１０】公知の変換コネクタの立体分解図である。
【符号の説明】
【００１７】
１ 変換コネクタ
１１ ブラケット
１１０ 収容スペース
１１１ 開口
１２ フレキシブルプリント基板
１２１ 導電層
１２２ 金属接点
１２３ 凸部
１２３１ 破孔
１２４ 導電層
２ メモリーカード
２１ 金属接点
３ メモリーカードスロット
３１ 端子
Ａ 変換コネクタ
Ａ０ 挿入スペース
Ａ１１ 主開口
Ａ１２ 開口
Ａ２１ 主開口
Ａ２ 上蓋
Ａ３ 接続部
Ａ４ 導電端子
【図１】
0003121826.tif 000003
【図２】
0003121826.tif 000004
【図３】
0003121826.tif 000005
【図４】
0003121826.tif 000006
【図５】
0003121826.tif 000007
【図６】
0003121826.tif 000008
【図７】
0003121826.tif 000009
【図８】
0003121826.tif 000010
【図９】
0003121826.tif 000011
【図１０】
0003121826.tif 000012
【手続補正書】
【提出日】平成18年3月2日(2006.3.2)
【手続補正２】
【補正対象書類名】実用新案登録請求の範囲
【補正対象項目名】全文
【補正方法】変更
【補正の内容】
【実用新案登録請求の範囲】
【請求項１】
メモリーカードの挿入形式に対してメモリーカードスロットを相互に対応させる変換コネクタを提供してなり、該変換コネクタはブラケットを備えてなり、ブラケット内には収容スペースを備えてなり、ブラケットの片側には収容スペースと相互に貫通する開口を設けてなり、該ブラケットは収容スペースを覆うことができるフレキシブルプリント基板を設けてなり、フレキシブルプリント基板は相互に隣接する収容スペースの片側表面に導電層を設けてなり、フレキシブルプリント基板の他片側表面における側面付近には金属接点を設けてなることを特徴とした、メモリーカード変換コネクタの構造。
【請求項２】
メモリーカードの挿入形式に対してメモリーカードスロットを相互に対応させる変換コネクタを提供してなり、該変換コネクタはブラケットを備えてなり、ブラケット内にには収容スペースを備えてなり、ブラケットの片側には収容スペースと相互に貫通する開口を設けてなり、該ブラケットは収容スペースを覆うことができるフレキシブルプリント基板を設けてなり、フレキシブルプリント基板は相互に隣接する収容スペースの片側表面に複数の凸部を設けてなり、複数の凸部上には導電層を備えてなり、フレキシブルプリント基板の他片側表面における側面付近には金属接点を設けてなることを特徴とした、メモリーカード変換コネクタの構造。
【請求項３】
前記フレキシブルプリント基板は電気鍍金を通して導電層と金属接点を形成することが可能であることを特徴とした、請求項１又は２に記載のメモリーカード変換コネクタの構造。
【請求項４】
前記フレキシブルプリント基板は適当な弾力を備えてなり、弾力性により変換コネクタ内に挿入されたメモリーカードを支持することが可能であることを特徴とした、請求項１又は２に記載のメモリーカード変換コネクタの構造。